(57)【要約】【課題】  スロットマシンゲーム機と同じような感覚で、７種類の図柄を揃え、トランプのように、２〜４人程の遊戯者で遊べる１組５３枚のカードゲームを提供する。【解決手段】  ４２枚の各カード８の表面左側には、７種類の図柄１〜７のうち３種類の図柄が、上中下と縦に３個、２種類の図柄も異なる順に並ぶように、それぞれ配置して設けられ、同じ高さに同じ種類の図柄を有するカード８が、同数で６枚ずつになっていると共に、表面右側には、表面左側の図柄が逆さまに設けられて、これら表面の図柄に、上下がないように形成され、あと１１枚の表面に仕掛けの図柄を有するカードゲーム。【選択図】図１
2019017964.tif 000002
【特許請求の範囲】
【請求項１】
カードの表面に設けられた図柄を揃えて遊べる１組のカードゲームであって、縦長の矩形状をした５３枚のカードが設けられ、４２枚の各カードの表面左側には、７種類の図柄のうち３種類の図柄が、上中下と縦に３個、２種類の図柄も異なる順に並ぶように、それぞれ配置して設けられ、同じ高さに同じ種類の図柄を有するカードが、同数で６枚ずつになっていると共に、表面右側には、表面左側の図柄が逆さまに設けられて、これら４２枚の各カードの表面の図柄に、上下がないように形成されており、あと１１枚の各カードの表面に、仕掛けとなる図柄が、それぞれ設けられているカードゲーム。
【発明の詳細な説明】
【技術分野】
【０００１】  本発明は、１組のカードゲームに関し、特に、カードの表面に設けられた図柄を揃えて遊べるものに関する。
【背景技術】
【０００２】  従来から、この種のものには、１組のトランプが良く知られている。トランプには、例えば、５３枚のカードが設けられ、５２枚の各カードの表面には、スペード、ハート、ダイヤ、クラブの４種類のスート、それに、Ａ、２〜１０、Ｊ、Ｑ、Ｋの１３個のランクを組み合わせた図柄が設けられ、あと１枚がジョーカーになっている。そして、所謂、ばば抜き遊びなどでは、２〜４人程の遊戯者で、同じランクの図柄を、２枚ペアに揃えるなどして遊べる。ジョーカーは、面白い仕掛けになる。【０００３】  ところで、図柄を揃えて遊べるものに、スロットマシンゲーム機は良く知られている。これには、例えば、横軸に並んで回転する３個のリールの外周面に、７種類の図柄が、リール毎に２１個並べて設けられている。リール毎の図柄は、リール毎の正面にある縦長の矩形をした表示窓から、３個ずつ縦に並んで見えるように停止し、３個のリールが横に並んでいることから、３×３の９個のマス目にランダムに表示される。こうした９個の図柄の並びに沿う横３本、斜め２本の５本のラインを対象に、同じ種類の図柄を、３個揃えて遊べる。主に、１人用である。（特許文献１参照）
【先行技術文献】
【特許文献】
【０００４】
【特許文献１】特開２００８−１３６６８３号公報
【発明の概要】
【発明が解決しようとする課題】
【０００５】  そこで、スロットマシンゲーム機と同じような感覚で、７種類の図柄を揃え、トランプのように、２〜４人程の遊戯者で遊べる１組のカードゲームの提供を試みた。【０００６】  例えば、スロットマシンゲーム機の表示窓から、縦に並んで見えるリール毎の３個の図柄、つまり、１個のリールで２１通り、３個のリールで６３通りの図柄と、同じ並びになるように、７種類の図柄のうち３個の図柄を、表示窓に見立てた縦長の矩形をした６３枚の各カードの表面に、それぞれ、縦に並べて設けただけのカードゲームである。【０００７】  遊び方は、例えば、遊戯者が、順番に交代して、裏にした６３枚のカードから３枚ずつ捲り、表にして横に並べる。そうすることで、３枚の各カードの３個の図柄を、３×３の９個のマス目に表示する。こうした９個の図柄の並びに沿う横３本、斜め２本の５本のラインを対象に、同じ種類の図柄を、３個揃えて遊べるという具合である。【０００８】  図１２〜図１４に、遊び方を例示している。１９〜２５は、７種類の図柄、２６は、矩形のカード、２７〜３１は、５本のラインである。尚、図中において、同じ符号で示す複数の図柄やカードは、形状などすべて同じものである。【０００９】  しかし、こうしたものでは、カードの枚数が、１組６３枚となり、トランプの５３枚に比べて多くなるため、例えば、材料となる紙など、製作するためのコストが余計にかかる問題があった。【００１０】  また、カードを横に並べる際、カードの表面の図柄には上下があるため、図柄が逆さまのカードは、度々、上下をひっくり返す必要があり、手間がかかる問題があった。【００１１】  特に、５本のラインを対象に、同じ種類の図柄を揃える場合、図柄の種類によっては、例えば、図１２のように、１本のラインだけに揃う図柄や、図１３や図１４のように、同時に２本以上のラインに揃う図柄があり、揃い方に偏りがある。このため、揃える図柄の種類が違うというだけで、同じ要領で揃えて遊べない問題があった。【００１２】  更に、図柄を揃えるだけでは、単調であり、トランプのジョーカーのように、面白い仕掛けをして遊べることが望ましい。【００１３】  本発明は、こうした点に鑑み、７種類の図柄を、所定の配置で、１組のカードに設けることにより、コストを抑えて製作し、カードを簡単に横に並べ、５本のラインを対象に、同じ種類の図柄を揃える場合、揃える図柄の種類が違うとしても、同じ要領で揃えて遊べるようにし、面白い仕掛けも可能にして、スロットマシンゲーム機と同じような感覚で、７種類の図柄を揃え、トランプのように、２〜４人程の遊戯者で遊べる１組のカードゲームの提供を目的とする。
【課題を解決するための手段】
【００１４】  上記目的を達成するために、本発明が講じた解決手段は、カードの表面に設けられた図柄を揃えて遊べる１組のカードゲームであって、縦長の矩形状をした５３枚のカードが設けられ、４２枚の各カードの表面左側には、７種類の図柄のうち３種類の図柄が、上中下と縦に３個、２種類の図柄も異なる順に並ぶように、それぞれ配置して設けられ、同じ高さに同じ種類の図柄を有するカードが、同数で６枚ずつになっていると共に、表面右側には、表面左側の図柄が逆さまに設けられて、これら４２枚の各カードの表面の図柄に、上下がないように形成されており、あと１１枚の各カードの表面に、仕掛けとなる図柄が、それぞれ設けられているカードゲームである。【００１５】  上記構成により、本発明では、７種類の図柄のうち３種類の図柄が、４２枚のカードに設けられ、仕掛けとなる図柄が、１１枚のカードに設けられた１組５３枚のカードゲームなので、トランプと同じコストで製作できる。【００１６】  遊び方は、例えば、遊戯者が、順番に交代して、裏にした５３枚のカードから３枚ずつ捲る。捲ったカードが、すべて上記４２枚の３種類の図柄を設けたカードであれば、表にして、カードの表面左側または表面右側の３種類の図柄を、どちらでもよいから、左手に見えるようにずらして、カードを重ねて横に並べる。そうするだけで、３枚の各カードの３種類の図柄を、３×３の９個のマス目に表示できる。こうした９個の図柄の並びに沿う横３本、斜め２本の５本のラインを対象に、同じ種類の図柄を、３個揃えて遊べる。【００１７】  この場合、カードを横に並べる際は、カードの表面左側に設けた３種類の図柄が、表面右側にも逆さまに設けられ、表面の図柄に、上下がないように形成されているので、図柄の上下を気にすることなく、カードを重ねて、簡単に横に並べられる。【００１８】  特に、カードの３種類の図柄は、２種類の図柄も異なる順に並ぶように配置して設けられ、同じ高さに同じ種類の図柄を有するカードが、同数で６枚ずつになっているので、図柄の組み合わせにより、同じ種類の図柄を、図柄の種類に関わらず、一律に１本のラインだけに３個揃えることが可能である。【００１９】  このように、同じ種類の図柄を、いずれも揃い方に偏りなく揃えられるので、揃える図柄の種類が違うとしても、同じ要領で揃えて遊べる。【００２０】  また、捲ったカードの中に、あと１１枚の仕掛けとなる図柄のカードがあれば、図柄に応じて、捲る順番が１回休みになるなど、面白い仕掛けをして遊べる。
【発明の効果】
【００２１】  以上、本発明によれば、７種類の図柄を、上記所定の配置により、４２枚のカードに設けたことによって、仕掛けとなる図柄を設けた１１枚のカードも含め、トランプと同じコストに抑えた１組５３枚のカードゲームが製作できる。【００２２】  また、上記４２枚の各カードの表面は、図柄の上下がないように形成したので、カードを横に並べる際は、図柄の上下を気にすることなく、カードを重ねて、簡単に横に並べることができる。【００２３】  特に、５本のラインを対象に、同じ種類の図柄を、ラインに３個揃える場合、図柄の種類に関わらず、一律に１本のラインだけに、偏りなく揃えられるようにしたので、揃える図柄の種類が違うとしても、同じ要領で揃えて遊べる。【００２４】  更に、仕掛けとなる図柄のカードを具備したので、面白い仕掛けをして遊べる。【００２５】  こうして、スロットマシンゲーム機と同じような感覚で、７種類の図柄を揃え、トランプのように、２〜４人程の遊戯者で遊べる１組のカードゲームの提供が図れる。
【図面の簡単な説明】
【００２６】
【図１】  本実施形態における４２枚のカードの表面を示した正面図である。
【図２】  第１図のカードを並び換えて示した説明図である。
【図３】  第１図のカードを並び換えて示した説明図である。
【図４】  本実施形態における１１枚のカードの表面を示した正面図である。
【図５】  ３枚のカードの使用状態を示した拡大説明図である。
【図６】  ３枚のカードの使用状態を示した拡大説明図である。
【図７】  ３枚のカードの使用状態を示した拡大説明図である。
【図８】  ３枚のカードの使用状態を示した拡大説明図である。
【図９】  ３枚のカードの使用状態を示した拡大説明図である。
【図１０】  各カードに共通の裏面を示した背面図である。
【図１１】  本実施形態の１組５３枚のカードゲームを示した斜視図である。
【図１２】  従来の３枚のカードの使用状態を示した説明図である。
【図１３】  従来の３枚のカードの使用状態を示した説明図である。
【図１４】  従来の３枚のカードの使用状態を示した説明図である。
【発明を実施するための形態】
【００２７】  以下、本発明の実施形態を図面に基づいて詳細に説明する。
【００２８】  図１〜図１１において、例えば、図１１には、ピラミッド型に積み上げられた本実施形態の１組５３枚のカードゲームＡが示されている。
【００２９】  図１の１〜７は、７種類の図柄、８は、カードであり、同図には、上記カードゲームＡにおける４２枚の各カード８の表面が、横１列に６枚分、それらを縦７列に並べるように例示されている。
【００３０】  尚、図中において、同じ符号で示す複数の図柄やカードは、形状などすべて同じものであり、図面の都合上、同じものを示す符号は一部省略している。
【００３１】  ７種類の図柄は、例えば、図柄１が数字の「７」、図柄２が「チェリー」、図柄３が「鐘」、図柄４が「メロン」、図柄５が「ぶどう」、図柄６が「パイン」、図柄７が「プラム」の図柄である。
【００３２】  各カード８は、縦長の矩形状であり、例えば、縦９ｃｍ、横６ｃｍ、角は半径３ｍｍの円弧にカットされた厚さ０．２５ｍｍの平面的な紙で形成されている。
【００３３】  各カード８の表面は、それぞれ、例えば、左右に半分ずつ、表面左側および表面右側に分けて用いられる。
【００３４】  ４２枚の各カード８の表面左側には、上記７種類の図柄１〜７のうち３種類の図柄が、上中下と縦に３個、２種類の図柄も異なる順に並ぶように、それぞれ配置して印刷され設けられている。
【００３５】  次に、４２枚の各カード８の表面左側における３種類の図柄の順を、図１の上から１列目、左から１枚目のカード８より順次説明する。例えば、上中下の３種類の図柄を、左から順に並べて書くと、次の通りである。
【００３６】  １列目１枚目の順は、図柄７、１、２「プラム、７、チェリー」である。
１列目２枚目の順は、図柄６、１、３「パイン、７、鐘」である。
１列目３枚目の順は、図柄５、１、４「ぶどう、７、メロン」である。
１列目４枚目の順は、図柄４、１、５「メロン、７、ぶどう」である。
１列目５枚目の順は、図柄３、１、６「鐘、７、パイン」である。
１列目６枚目の順は、図柄２、１、７「チェリー、７、プラム」である。
２列目１枚目の順は、図柄１、２、３「７、チェリー、鐘」である。
２列目２枚目の順は、図柄７、２、４「プラム、チェリー、メロン」である。
２列目３枚目の順は、図柄６、２、５「パイン、チェリー、ぶどう」である。
２列目４枚目の順は、図柄５、２、６「ぶどう、チェリー、パイン」である。
２列目５枚目の順は、図柄４、２、７「メロン、チェリー、プラム」である。
２列目６枚目の順は、図柄３、２、１「鐘、チェリー、７」である。
３列目１枚目の順は、図柄２、３、４「チェリー、鐘、メロン」である。
３列目２枚目の順は、図柄１、３、５「７、鐘、ぶどう」である。
３列目３枚目の順は、図柄７、３、６「プラム、鐘、パイン」である。
３列目４枚目の順は、図柄６、３、７「パイン、鐘、プラム」である。
３列目５枚目の順は、図柄５、３、１「ぶどう、鐘、７」である。
３列目６枚目の順は、図柄４、３、２「メロン、鐘、チェリー」である。
４列目１枚目の順は、図柄３、４、５「鐘、メロン、ぶどう」である。
４列目２枚目の順は、図柄２、４、６「チェリー、メロン、パイン」である。
４列目３枚目の順は、図柄１、４、７「７、メロン、プラム」である。
４列目４枚目の順は、図柄７、４、１「プラム、メロン、７」である。
４列目５枚目の順は、図柄６、４、２「パイン、メロン、チェリー」である。
４列目６枚目の順は、図柄５、４、３「ぶどう、メロン、鐘」である。
５列目１枚目の順は、図柄４、５、６「メロン、ぶどう、パイン」である。
５列目２枚目の順は、図柄３、５、７「鐘、ぶどう、プラム」である。
５列目３枚目の順は、図柄２、５、１「チェリー、ぶどう、７」である。
５列目４枚目の順は、図柄１、５、２「７、ぶどう、チェリー」である。
５列目５枚目の順は、図柄７、５、３「プラム、ぶどう、鐘」である。
５列目６枚目の順は、図柄６、５、４「パイン、ぶどう、メロン」である。
６列目１枚目の順は、図柄５、６、７「ぶどう、パイン、プラム」である。
６列目２枚目の順は、図柄４、６、１「メロン、パイン、７」である。
６列目３枚目の順は、図柄３、６、２「鐘、パイン、チェリー」である。
６列目４枚目の順は、図柄２、６、３「チェリー、パイン、鐘」である。
６列目５枚目の順は、図柄１、６、４「７、パイン、メロン」である。
６列目６枚目の順は、図柄７、６、５「プラム、パイン、ぶどう」である。
７列目１枚目の順は、図柄６、７、１「パイン、プラム、７」である。
７列目２枚目の順は、図柄５、７、２「ぶどう、プラム、チェリー」である。
７列目３枚目の順は、図柄４、７、３「メロン、プラム、鐘」である。
７列目４枚目の順は、図柄３、７、４「鐘、プラム、メロン」である。
７列目５枚目の順は、図柄２、７、５「チェリー、プラム、ぶどう」である。
７列目６枚目の順は、図柄１、７、６「７、プラム、パイン」である。
【００３７】  このように、４２枚の各カード８の表面左側における３種類の図柄の順が決められている。この順によれば、４２枚の各カード８の上中下となる３種類の図柄は、同図においては、破線で囲んで示したように、次の通りになる。
【００３８】  １列目６枚の中の図柄は、図柄１「７」である。
２列目６枚の中の図柄は、図柄２「チェリー」である。
３列目６枚の中の図柄は、図柄３「鐘」である。
４列目６枚の中の図柄は、図柄４「メロン」である。
５列目６枚の中の図柄は、図柄５「ぶどう」である。
６列目６枚の中の図柄は、図柄６「パイン」である。
７列目６枚の中の図柄は、図柄７「プラム」である。
【００３９】  図２、図３には、図１の４２枚のカード８が並び換えて示されている。同様に、図２においては、破線で囲んで示したように、次の通りになる。
【００４０】  １列目６枚の上の図柄は、図柄１「７」である。
２列目６枚の上の図柄は、図柄２「チェリー」である。
３列目６枚の上の図柄は、図柄３「鐘」である。
４列目６枚の上の図柄は、図柄４「メロン」である。
５列目６枚の上の図柄は、図柄５「ぶどう」である。
６列目６枚の上の図柄は、図柄６「パイン」である。
７列目６枚の上の図柄は、図柄７「プラム」である。
【００４１】  同様に、図３においては、破線で囲んで示したように、次の通りになる。
【００４２】  １列目６枚の下の図柄は、図柄１「７」である。
２列目６枚の下の図柄は、図柄２「チェリー」である。
３列目６枚の下の図柄は、図柄３「鐘」である。
４列目６枚の下の図柄は、図柄４「メロン」である。
５列目６枚の下の図柄は、図柄５「ぶどう」である。
６列目６枚の下の図柄は、図柄６「パイン」である。
７列目６枚の下の図柄は、図柄７「プラム」である。
【００４３】  こうして、４２枚の各カード８の表面左側で、同じ高さに同じ種類の図柄を有するカード８が、同数で６枚ずつになっている。
【００４４】  そして、上記４２枚の各カード８の表面右側には、表面左側の図柄が逆さまに設けられており、これら４２枚の各カード８の表面の図柄に、上下がないように形成されている。
【００４５】  また、本実施形態では、こうした表面左側、表面右側の図柄を、真横に並べず、互いに左右に間をとり、上下にずらした箇所に配置している。これは、後述するように、３枚のカード８を重ねて横に並べて、それら左右のどちらか３種類の図柄で、図柄を９個のマス目に表示する際に、同じカード８の左右の図柄が、真横に並んでその表示を見辛くしないようにするための配置の一例である。これに合せ、図柄も、個々に、右に４５度回転して向きを変えたものを用いている。
【００４６】  図４には、あと１１枚の各カード８の表面が並べて例示されている。１１枚の各カード８の表面に、仕掛けとなる図柄が、それぞれ印刷され設けられている。
【００４７】  例えば、１１枚の各カード８の表面左側には、上記７種類の図柄１〜７の他、図柄９の「王冠」、図柄１０の数字の「３」、図柄１１の「３枚のカード」、図柄１２の英文字の「Ｊ」の同じ図柄が、上中下と縦に３個、それぞれ配置して設けられている。表面右側には、表面左側の図柄が逆さまに設けられて、上記４２枚のカード８と同様に、表面の図柄に上下がないように形成されている。
【００４８】  図１０には、５３枚の各カード８に共通の裏面が例示されている。これらの裏面には、例えば、共通する図柄１３の「網目模様」が、印刷され設けられている。
【００４９】  したがって、本実施形態によれば、７種類の図柄１〜７のうち３種類の図柄が、４２枚のカード８に設けられ、仕掛けとなるように、図柄１〜７、図柄９〜１２が、１１枚のカード８に設けられた１組５３枚のカードゲームＡであり、材料となる紙など、トランプと同じコストに抑えて製作できる。
【００５０】  以下、遊び方を説明する。２〜４人程の遊戯者で遊べる。遊び方は、例えば、まず、遊戯者が、順番に交代して、例えば、図１１の裏にして積み上げられた５３枚のカード８から３枚ずつ捲る。
【００５１】  捲ったカード８が、すべて図１の３種類の図柄を設けた３枚のカード８であれば、図５〜図９に例示するように、表にして、カード８の表面左側または表面右側の３種類の図柄を、どちらでもよいから、左手に見えるようにずらして、カード８を重ねて横に並べる。そうするだけで、３枚の各カード８の３種類の図柄を、３×３の９個のマス目に表示できる。こうした９個の図柄の並びに沿う、例えば、図中に仮想線で示した、横３本、斜め２本の５本のライン１４〜１８を対象に、同じ種類の図柄を、３個揃えて遊べる。
【００５２】  この場合、カード８を横に並べる際は、カード８の表面左側に設けた３種類の図柄が、表面右側にも逆さまに設けられ、表面の図柄に、上下がないように形成されているので、図柄の上下を気にすることなく、カード８を重ねて、簡単に横に並べることができる。
【００５３】  上記５本のライン１４〜１８は、それぞれ１４、１５、１６が、横３個の図柄に沿う上のライン、中のライン、下のラインであり、１７、１８が、斜め３個の図柄に沿う右上がりのライン、右下がりのラインである。
【００５４】  図５は、例えば、同じ種類の図柄１である数字の「７」が、上のライン１４に３個揃う状態が示されている。同様にして、図６は、中のライン１５に、図７は、下のライン１６に、図８は、右上がりのライン１７に、図９は、右下がりのライン１８に、それぞれ揃う状態が示されている。
【００５５】  同様に、図示はしないが、３枚のカード８の組み合わせを換えることにより、その他、図柄１だけでなく、図柄２〜７もライン１４〜１８に３個揃えられる。
【００５６】  そして、特に、このように、同じ種類の図柄１〜７を、ライン１４〜１８に３個揃える場合、各カード８の３種類の図柄は、同じ高さに同じ種類の図柄を有するカード８が、同数で６枚ずつになっているので、図柄の種類に関わらず、一律にラインに３個揃えることが可能である。
【００５７】  また、２種類の図柄も異なる順に並ぶように配置して設けられているので、３枚のカード８の図柄を組み合わせても、５本のライン１４〜１８を対象に、同じ種類の図柄を、同時に２本のラインに３個揃えることは不可となる。
【００５８】  こうした図柄の組み合わせにより、図柄の種類に関わらず、一律に１本のラインだけに３個揃えることが可能である。
【００５９】  このようにして、同じ種類の図柄を、いずれも揃い方に偏りなく揃えられるので、遊戯者は、揃える図柄の種類が違うとしても、同じ要領で揃えて遊べる。
【００６０】  そして、例えば、遊戯者が、同じ種類の図柄を、横３本のいずれかのライン１４〜１６に揃えた場合は、２点、斜め２本のいずれかのライン１７、１８に揃えた場合は、１点が貰える。図柄が揃わなかった場合は、０点という具合である。
【００６１】  一方、遊戯者が、順番に交代して、３枚ずつ捲ったカード８の中に、例えば、図４の仕掛けとなる図柄のカード８があれば、図柄に応じて、遊戯者には、次のような仕掛けが用意されている。
【００６２】  例えば、図４の図柄１〜７のカード８を捲った場合は、１枚につき、得点として、１点が貰え、あとは、そのカード８を外して、その１枚分を捲り直せる。
【００６３】  また、図柄９〜１１のカード８を捲った場合は、１枚につき、そのカード８を外して、同じ種類の図柄が、いずれかのライン１４〜１８に揃うまで、その１枚分を、３回を上限として捲り直せる。
【００６４】  更に、図柄１２のカード８を捲った場合は、捲る順番が１回休みになる。
【００６５】  このように、仕掛けとなる図柄のカード８を具備したことによって、ゲーム中に、幾つかの面白い仕掛けをして遊べる。
【００６６】  そして、図１１の裏にした捲るカード８がなくなれば、ゲームは終了である。
【００６７】  勝敗は、貰った得点の合計点の多い者が勝ちなどとして遊べる。
【００６８】  こうして、スロットマシンゲーム機と同じような感覚で、７種類の図柄１〜７を揃え、トランプのように、２〜４人程の遊戯者で遊べる１組のカードゲームＡの提供を図ることができる。
【００６９】  尚、１人でも同様に図柄を揃えて遊ぶことは、勿論可能である。
【００７０】  本発明は、本実施形態に限られるものではなく、次のようにしてもよい。
【００７１】  図１において、７種類の図柄１〜７は、数字や物の図柄だけでなく、文字や記号、写真などの他の図柄にしてもよい。
【００７２】  また、図柄は、バーコードや２次元コード、ホログラムなどの情報を有する図柄にしてもよい。例えば、１種類の図柄だけでも、２次元コードにすれば、それをウェブアドレスにして読み取れるので、インターネットで所定のサイトにアクセスも可能になり、商品やサービスの広告媒体などとして利用できる。また、図柄を、ホログラムにすれば、コピーが難しくなるので、カードゲーム自体の不正なコピーの防止につなげられる。
【００７３】  更に、図柄は、拡大、縮小、回転して向きを変えるなど、変形して設けてもよい。３種類の図柄の各カード８への配置は、表面右側、表面左側の範囲内ならば、他の箇所に配置してもよい。印刷の他、複写、感光、シールなどにより設けてもよい。
【００７４】  本実施形態では、７種類の図柄１〜７において、１種類の複数の図柄を、すべて同じ図柄にしたが、同じである必要はなく、一部だけが異なる図柄、例えば、漫画の同じキャラクターのポーズだけが異なる図柄など、共通性を有し、同じ種類の図柄と分類できる図柄ならば、１種類の図柄として用いてもよい。
【００７５】  矩形状のカード８は、縦、横の寸法、角の形状、厚みなどを変えてもよく、紙の他、樹脂やそれらを合わせたものなど、平面的なものならば、材料として用いてもよい。
【００７６】  また、４２枚の各カード８における３種類の図柄の順は、他の順にすることも可能である。例えば、図示しないが、実施形態と同様に、１枚目から４２枚目までの各カード８の表面左側における上中下の３種類の図柄を、左から順に並べて簡単に書くと、次の通りである。
【００７７】  １枚目の順は、図柄５、１、３である。
２枚目の順は、図柄４、１、６である。
３枚目の順は、図柄７、１、４である。
４枚目の順は、図柄３、１、２である。
５枚目の順は、図柄６、１、７である。
６枚目の順は、図柄２、１、５である。
７枚目の順は、図柄３、２、６である。
８枚目の順は、図柄６、２、４である。
９枚目の順は、図柄５、２、７である。
１０枚目の順は、図柄１、２、５である。
１１枚目の順は、図柄４、２、３である。
１２枚目の順は、図柄７、２、１である。
１３枚目の順は、図柄１、３、２である。
１４枚目の順は、図柄４、３、７である。
１５枚目の順は、図柄７、３、５である。
１６枚目の順は、図柄６、３、１である。
１７枚目の順は、図柄２、３、６である。
１８枚目の順は、図柄５、３、４である。
１９枚目の順は、図柄６、４、５である。
２０枚目の順は、図柄２、４、３である。
２１枚目の順は、図柄５、４、１である。
２２枚目の順は、図柄１、４、６である。
２３枚目の順は、図柄７、４、２である。
２４枚目の順は、図柄３、４、７である。
２５枚目の順は、図柄４、５、１である。
２６枚目の順は、図柄７、５、６である。
２７枚目の順は、図柄３、５、４である。
２８枚目の順は、図柄６、５、２である。
２９枚目の順は、図柄２、５、７である。
３０枚目の順は、図柄１、５、３である。
３１枚目の順は、図柄２、６、４である。
３２枚目の順は、図柄５、６、２である。
３３枚目の順は、図柄１、６、７である。
３４枚目の順は、図柄４、６、５である。
３５枚目の順は、図柄７、６、３である。
３６枚目の順は、図柄３、６、１である。
３７枚目の順は、図柄３、７、５である。
３８枚目の順は、図柄６、７、３である。
３９枚目の順は、図柄２、７、１である。
４０枚目の順は、図柄５、７、６である。
４１枚目の順は、図柄１、７、４である。
４２枚目の順は、図柄４、７、２である。
【００７８】  こうした４２枚の各カードの３種類の図柄は、上述した実施形態と同様に、それぞれ２種類の図柄も異なる順に並ぶように配置して設けられており、同じ高さに同じ種類の図柄を有するカードが、同数で６枚ずつになっている。このように同じ構成ならば、他の順にしてもよい。
【００７９】  図４の仕掛けとなる図柄は、上中下の図柄が異なるものなど、他の図柄にしてもよい。図１０の裏面の図柄１３も、他の図柄にしてもよい。
【００８０】  遊び方も、この限りではない。これらは、いずれも同様の作用効果を有する。
【産業上の利用可能性】
【００８１】  本発明の１組５３枚のカードゲームは、トランプと同じ枚数なので、例えば、各カードの表面の一部に、トランプ固有の図柄を設けるだけで、トランプとしても兼用可能であるなど、所謂、多目的なカードゲームの製作にも利用できる。
【符号の説明】
【００８２】  １  図柄
２  図柄
３  図柄
４  図柄
５  図柄
６  図柄
７  図柄
８  カード
９  図柄
１０  図柄
１１  図柄
１２  図柄
Ａ  カードゲーム
【図１】
2019017964.tif 000003
【図２】
2019017964.tif 000004
【図３】
2019017964.tif 000005
【図４】
2019017964.tif 000006
【図５】
2019017964.tif 000007
【図６】
2019017964.tif 000008
【図７】
2019017964.tif 000009
【図８】
2019017964.tif 000010
【図９】
2019017964.tif 000011
【図１０】
2019017964.tif 000012
【図１１】
2019017964.tif 000013
【図１２】
2019017964.tif 000014
【図１３】
2019017964.tif 000015
【図１４】
2019017964.tif 000016